(57)【要約】【課題】  運用中に遠隔操作で警報を出力できる光伝送装置、光伝送システム、及び警報機能の試験方法を提供する。【解決手段】  光伝送装置は分岐させた入力光を出力する少なくとも第１ポート、第２ポート、及び第３ポートを有し、前記第１ポート及び前記第２ポートの分岐比が可変である光分岐部と、前記分岐比を制御することにより、監視対象となる前記第１ポートの出力光の光レベルを低下させ、該低下量に応じて前記第２ポートの出力光の光レベルを増加させる制御部とを有する。【選択図】図３
2014236385.tif 000002
【特許請求の範囲】
【請求項１】
分岐させた入力光を出力する少なくとも第１ポート、第２ポート、及び第３ポートを有し、前記第１ポート及び前記第２ポートの分岐比が可変である光分岐部と、
前記分岐比を制御することにより、監視対象となる前記第１ポートの出力光の光レベルを低下させ、該低下量に応じて前記第２ポートの出力光の光レベルを増加させる制御部とを有することを特徴とする光伝送装置。
【請求項２】
前記制御部は、前記第３ポートの出力光の光レベルが維持されるように前記分岐比を制御することを特徴とする請求項１に記載の光伝送装置。
【請求項３】
前記第１ポートの出力光の光レベルを監視し、前記光レベルに応じて警報を出力する第１警報出力部を、さらに有することを特徴とする請求項１または２に記載の光伝送装置。
【請求項４】
伝送路を介して接続された第１光伝送装置及び第２光伝送装置を有し、
前記第１光伝送装置は、
分岐させた入力光を出力する少なくとも第１ポート、第２ポート、及び第３ポートを有し、前記第１ポート及び前記第２ポートの分岐比が可変である光分岐部と、
前記分岐比を制御することにより、監視対象となる前記第１ポートの出力光の光レベルを低下させ、該低下量に応じて前記第２ポートの出力光の光レベルを増加させる制御部とを有し、
前記第２光伝送装置は、
前記伝送路を介して伝送された前記第１光伝送装置の前記第１ポートの出力光の光レベルを監視し、前記光レベルに応じて警報を出力する第２警報出力部を有することを特徴とする光伝送システム。
【請求項５】
分岐させた入力光を出力する少なくとも第１ポート、第２ポート、及び第３ポートを有する光分岐部の前記第１ポート及び前記第２ポートの分岐比を制御することにより、監視対象となる前記第１ポートの出力光の光レベルを低下させ、該低下量に応じて前記第２ポートの出力光の光レベルを増加させることを特徴とする警報機能の試験方法。
【発明の詳細な説明】
【技術分野】
【０００１】
本件は、光伝送装置、光伝送システム、及び警報機能の試験方法に関する。
【背景技術】
【０００２】
通信の需要が増加するに伴って、波長多重技術（WDM：Wavelength Division Multiplexing）を利用した光ネットワークが広く普及している。波長多重技術は、波長が異なる複数の光信号を多重して伝送する技術である。波長多重技術によると、例えば、伝送速度４０（Ｇｂｐｓ）×８８波の光信号を多重し、波長多重光信号（以下、「多重光信号」と表記）として伝送することが可能である。
【０００３】
ＷＤＭ技術を利用した光伝送装置として、ＲＯＡＤＭ（Reconfigurable Optical Add-Drop Multiplexer）装置などと呼ばれる光分岐挿入装置が知られている。ＲＯＡＤＭ装置は、トランスポンダなどと呼ばれる光信号の送受信器を有している。
【０００４】
ＲＯＡＤＭ装置は、トランスポンダから入力された任意の波長の光信号を多重化して他のノードに伝送し、一方、他のノードから受信した多重光信号から任意の波長の光信号を分離して、トランスポンダに出力する。すなわち、ＲＯＡＤＭ装置は、任意の波長の光信号を挿入及び分岐する。
【０００５】
ＲＯＡＤＭ装置は、方路ごとに、光スプリッタ及び波長選択スイッチ（WSS：Wavelength Selective Switch）が設けられている。方路とは、ネットワーク内の他ノードとの間に延びる伝送路である。
【０００６】
光スプリッタは、該当する方路から入力された多重光信号を、他の全方路の波長選択スイッチ及びトランスポンダに出力する。波長選択スイッチは、他の全方路の光スプリッタ及びトランスポンダから入力された多重光信号の中から、出力対象となる波長の光信号を選択して多重し、多重光信号として、該当する方路へ出力する。
【０００７】
ネットワークを拡張する場合、ＲＯＡＤＭ装置の接続対象となるノードが増えるので、接続対象となる方路も増える。このため、ＲＯＡＤＭ装置に、トランスポンダ、光スプリッタ、及び波長選択スイッチを増設する作業が生ずる。この作業では、トランスポンダ、光スプリッタ、及び波長選択スイッチ間を多数の光ファイバにより接続する必要がある。
【０００８】
ＲＯＡＤＭ装置に関し、例えば特許文献１には、光入力レベル及び光出力レベルに応じて、ドロップ側可変光カプラの分離比率を制御する技術が開示されている。また、非特許文献１には、チューナブル光スプリッタの技術が開示されている。
【先行技術文献】
【特許文献】
【０００９】
【特許文献１】特開２００６−３１０９６３号公報
【非特許文献】
【００１０】
【非特許文献１】シンリン・シヤオ (Shinlin Xiao)他７名著、「チューナブル光スプリッタ技術(Tunable optical Splitter technology)」, Proceedings of SPIE, 2002, vol.4870, p.532-539
【発明の概要】
【発明が解決しようとする課題】
【００１１】
増設作業の完了後、ＲＯＡＤＭ装置の警報機能の試験が行われる。警報機能の試験では、例えば、光ファイバを抜去したときに、該当箇所において所定の警報が出力されることを確認する。これにより、光ファイバの接続が正しいことも確認される。また、リング型ネットワークの場合、障害発生時（警報出力時）に伝送経路を現用系から予備系に切り替えるＯＵＰＳＲ（Optical Uni-Direction Path Switched Ring）機能も確認できる。このような確認作業では、運用中の通信回線に影響を与えないことが要求される。
【００１２】
しかし、ＲＯＡＤＭ装置は、他種の光伝送装置と比較すると、多数の光ファイバが配線されているので、確認作業において、目的の光ファイバを見つけることは困難である。例えば、運用中の通信回線の光ファイバが誤って抜去されると、通信が中断するという問題が生ずる。また、抜去した光ファイバの端面から漏れる光により、作業者の健康が損なわれる危険性もある。なお、このような問題は、ＲＯＡＤＭ装置に限定されず、他の光伝送装置にも存在する。
【００１３】
そこで本件は上記の課題に鑑みてなされたものであり、運用中に遠隔操作で警報を出力できる光伝送装置、光伝送システム、及び警報機能の試験方法を提供することを目的とする。
【課題を解決するための手段】
【００１４】
本明細書に記載の光伝送装置は、分岐させた入力光を出力する少なくとも第１ポート、第２ポート、及び第３ポートを有し、前記第１ポート及び前記第２ポートの分岐比が可変である光分岐部と、前記分岐比を制御することにより、監視対象となる前記第１ポートの出力光の光レベルを低下させ、該低下量に応じて前記第２ポートの出力光の光レベルを増加させる制御部とを有する。
【００１５】
本明細書に記載の光伝送システムは、伝送路を介して接続された第１光伝送装置及び第２光伝送装置を有し、前記第１光伝送装置は、分岐させた入力光を出力する少なくとも第１ポート、第２ポート、及び第３ポートを有し、前記第１ポート及び前記第２ポートの分岐比が可変である光分岐部と、前記分岐比を制御することにより、監視対象となる前記第１ポートの出力光の光レベルを低下させ、該低下量に応じて前記第２ポートの出力光の光レベルを増加させる制御部とを有し、前記第２光伝送装置は、前記伝送路を介して伝送された前記第１光伝送装置の前記第１ポートの出力光の光レベルを監視し、前記光レベルに応じて警報を出力する第２警報出力部を有する。
【００１６】
本明細書に記載の警報機能の試験方法は、分岐させた入力光を出力する少なくとも第１ポート、第２ポート、及び第３ポートを有する光分岐部の前記第１ポート及び前記第２ポートの分岐比を制御することにより、監視対象となる前記第１ポートの出力光の光レベルを低下させ、該低下量に応じて前記第２ポートの出力光の光レベルを増加させる方法である。
【発明の効果】
【００１７】
本明細書に記載の光伝送装置、光伝送システム、及び警報機能の試験方法は、運用中に遠隔操作で警報を出力できるという効果を奏する。
【図面の簡単な説明】
【００１８】
【図１】実施例に係る光伝送システムの構成を示す構成図である。
【図２】拡張された光伝送システムの一例を示す構成図である。
【図３】実施例に係る光伝送装置の機能構成を示す構成図である。
【図４】警報の出力条件を示す表である。
【図５】警報機能の試験例（１）におけるＲＯＡＤＭ装置の動作を示す図である。
【図６】警報ＩＮＤＷＮの試験手順を示すフローチャートである。
【図７】警報ＰＯＳの試験手順を示すフローチャートである。
【図８】警報機能の試験例（２）におけるノードＣのＲＯＡＤＭ装置の動作を示す図である。
【図９】警報機能の試験例（２）におけるノードＡのＲＯＡＤＭ装置の動作を示す図である。
【図１０】警報ＩＮＤＷＮの試験手順を示すフローチャートである。
【図１１】警報ＰＯＳの試験手順を示すフローチャートである。
【図１２Ａ】方路が拡張された光伝送装置の機能構成例を示す構成図（その１）である。
【図１２Ｂ】方路が拡張された光伝送装置の機能構成例を示す構成図（その２）である。
【図１３Ａ】図１２Ａ及び図１２Ｂに示された光伝送装置における光ファイバの誤接続の一例を示す構成図（その１）である。
【図１３Ｂ】図１２Ａ及び図１２Ｂに示された光伝送装置における光ファイバの誤接続の一例を示す構成図（その２）である。
【図１４】光ファイバの誤接続の確認試験の手順を示すフローチャートである。
【図１５】可変分岐比を有する光スプリッタの機能構成の一例を示す構成図である。
【図１６】光学薄膜の位置変化に対する透過光及び反射光のパワーの変化を示すグラフである。
【図１７】可変分岐比を有する光スプリッタの機能構成の他例を示す構成図である。
【図１８】光の位相差変化に対する出力光のパワーの変化を示すグラフである。
【図１９】光分岐部の構成の一例を示す構成図である。
【図２０】光分岐部の構成の他例を示す構成図である。
【発明を実施するための形態】
【００１９】
図１は、実施例に係る光伝送システムの構成を示す構成図である。光伝送システムは、一例として、リング型光ネットワークを構成するように、伝送路を介して接続されたノードＡ〜Ｄを含む。
【００２０】
ノードＡ〜Ｄは、それぞれ、光伝送装置であるＲＯＡＤＭ装置１が設けられている。各ＲＯＡＤＭ装置１は、波長が異なる複数の光信号を多重して得た多重光信号を、光ファイバを介して隣接ノードのＲＯＡＤＭ装置１に伝送する。なお、以下に述べる内容は、光伝送装置としてＲＯＡＤＭ装置１を例示するが、これに限定されることはなく、他種類の光伝送装置にも適用することが可能である。
【００２１】
ＲＯＡＤＭ装置１は、コア部１ａ、波長信号入出力部１ｂ、及び監視制御部１ｃを含む。なお、図１において、ノードＡ，Ｂ，Ｄの光伝送装置の波長信号入出力部１ｂ及び監視制御部１ｃの図示は、省略されている。このため、以降はノードＣのＲＯＡＤＭ装置１の構成に関して説明するが、他のノードＡ，Ｂ，ＤのＲＯＡＤＭ装置１もノードＣと同様の構成を有する。
【００２２】
コア部１ａは、光インターフェース部（光ＩＮＦ）２及び多重分離部（ＭＵＸ／ＤＥＭＵＸ）３を含む。光インターフェース部２は、方路＃１，＃２ごとに設けられ、当該方路から入力された多重光信号を他方の光インターフェース部２及び多重分離部３に出力する。また、光インターフェース部２は、多重分離部３から挿入された光信号を、ノードを通過させる光信号に多重して隣接ノードに送信する。
【００２３】
多重分離部３は、光インターフェース部２から入力された多重光信号から、分岐対象となる波長の光信号λ１，λ２を分離して、波長信号入出力部１ｂに出力する。また、多重分離部３は、挿入対象となる波長λ１，λ２の光信号が波長信号入出力部１ｂから入力され、該波長λ１，λ２の光信号を多重して光インターフェース部２に出力する。
【００２４】
本例の光ネットワークでは、ノードＡ，Ｃにおいて、波長λ１，λ２の光信号が分岐及び挿入され、ノードＢ，Ｄにおいて、波長λ３〜λ１０の光信号が分岐及び挿入される。このため、波長λ１，λ２の光信号は、ノードＢ，Ｄを通過し、波長λ３〜λ１０の光信号は、ノードＡ，Ｃを通過する。
【００２５】
波長信号入出力部１ｂは、二重化部４及びトランスポンダ５ａ，５ｂを含む。例えば、トランスポンダ５ａは、１００（Ｇｂｐｓ）のイーサネット（１００ＧｂＥ）信号を送受信し、トランスポンダ５ｂは、例えば、１０波長または４波長を多重して得たＳＴＭ（Synchronous Transfer Mode）−６４の信号を送受信する。トランスポンダ５ａ，５ｂは、二重化部４との間において、該送受信した信号に対応する波長λ１，λ２の光信号をそれぞれ入出力する。
【００２６】
二重化部４は、ＯＵＰＳＲの機能を実行し、分岐する波長λ１,λ２の光信号の経路を切り替える。ノードＡ及びノードＣの各ＲＯＡＤＭ装置１は、互いに波長λ１，λ２の光信号を送受信している。このとき、波長λ１，λ２の各光信号は、ノードＤを経由する経路及びノードＢを経由する経路の両方を介して伝送される。つまり、波長λ１，λ２の各光信号は、図１の紙面を時計回りに進む経路Ｒ１及び反時計回りに進む経路Ｒ２の２つの経路を経由して伝送される。
【００２７】
二重化部４は、２つの経路Ｒ１，Ｒ２のうちの一方を選択して、波長λ１，λ２の各光信号を受信し、トランスポンダ５ａ，５ｂに出力する。ここで、経路Ｒ１，Ｒ２の切り替えは、例えば伝送路（光ファイバ）の障害により、光信号が受信不可能となった場合、あるいは、光信号の光レベルが低下した場合に行われる。なお、２つの経路Ｒ１，Ｒ２のうち、何れを現用系または予備系としてもよい。
【００２８】
監視制御部１ｃは、コア部１ａ及び波長信号入出力部１ｂの監視及び制御を行う。監視制御部１ｃは、ＤＣＮ（Data Communication Network）９０を介してネットワーク管理装置９と接続されている。ネットワーク管理装置９は、ＤＣＮ９０を介して、監視制御部１ｃと通信する。
【００２９】
また、監視制御部１ｃは、ネットワーク管理装置９及び他ノードＡ，Ｂ，Ｄの監視制御部１ｃの間の通信を中継する。この通信は、例えば主信号（波長λ１〜λ１０の光信号）のフレームの一部（ヘッダなど）に形成されたＧＣＣ（General Communication Channel）を用いて行われる。なお、ネットワーク管理装置９の通信は、このようなインバンド制御の形態に限定されず、監視制御専用の波長を設け、該波長の光信号を用いて行われてもよい。
【００３０】
図２は、拡張された光伝送システムの一例を示す構成図である。より具体的には、図２は、図１に示された光伝送システムを、ノードＣにおいて、ノードＥ〜Ｇを有する他のリング型ネットワークに接続することにより、８の字形状の光ネットワークに拡張した例を示す。なお、図２において、波長信号入出力部１ｂ及び監視制御部１ｃの図示は省略されている。
【００３１】
拡張に伴い、ノードＣのＲＯＡＤＭ装置１は、隣接ノードＤとの間の方路＃１及び隣接ノードＢとの間の方路＃２に加えて、新たな隣接ノードＧとの間の方路＃３及び新たな隣接ノードＥとの間の方路＃４が設けられる。このため、ノードＣのＲＯＡＤＭ装置１は、新たな方路＃３，＃４に対応する光インターフェース部２及び多重分離部３が追加される。したがって、ノードＣのＲＯＡＤＭ装置１は、点線で示されるように、装置内に新たな光ファイバが配線される。
【００３２】
実施例に係る光伝送装置は、このような場合でも、運用中の回線に影響を与えることなく、遠隔操作で警報の出力が可能である。図３は、実施例に係る光伝送装置の機能構成を示す構成図である。より具体的には、図３は、上記のＲＯＡＤＭ装置１の構成を、より詳細に示す。なお、図３は、図１に示されたノードＣのＲＯＡＤＭ装置１の構成を示すが、他ノードＡ，Ｂ，ＤのＲＯＡＤＭ装置１も、関制御部１ｃがＤＣＮ９０に直接的に接続されていないことを除けば、同様の構成を有する。
【００３３】
ＲＯＡＤＭ装置１は、コア部１ａ、波長信号入出力部１ｂ、及び監視制御部１ｃを有する。コア部１ａは、方路＃１の光インターフェース部２ａ及び多重分離部３ａと、方路＃２の光インターフェース部２ｂ及び多重分離部３ｂとを有する。
【００３４】
光インターフェース部２ａ，２ｂは、光分岐部２０ａ，２０ｂと、波長選択スイッチ２１ａ，２１ｂと、入力アンプ２２ａ，２２ｂと、出力アンプ２３ａ，２３ｂとをそれぞれ有する。光インターフェース部２ａ，２ｂは、さらに、光終端器２４ａ，２４ｂと、警報出力部２５ａ，２５ｂと、光スプリッタ２５０ａ，２５０ｂとをそれぞれ有する。入力アンプ２２ａ，２２ｂは、当該方路から入力された多重光信号を増幅して、光分岐部２０ａ，２０ｂにそれぞれ出力する。
【００３５】
光分岐部２０ａ，２０ｂは、３つの出力ポート（第１ポート〜第３ポート）２００ａ〜２０２ａ，２００ｂ〜２０２ｂをそれぞれ有し、出力ポートごとに分岐比が可変である。光分岐部２０ａ，２０ｂは、入力アンプ２２ａ，２２ｂからそれぞれ入力された多重光信号（入力光）を分岐させて出力ポート２００ａ〜２０２ａ，２００ｂ〜２０２ｂからそれぞれ出力する。なお、光分岐部２０ａ，２０ｂの構成の詳細については後述する。
【００３６】
出力ポート２００ａ，２００ｂから出力された多重光信号は、光終端器２４ａ，２４ｂに導かれて終端される。出力ポート２００ａ，２００ｂは、他の出力ポートの分岐比が低下したとき、自己の分岐比が増加することによって、当該他の出力ポートから出力できない余剰分の光パワーを光終端器２４ａ，２４ｂに逃がす。光終端器２４ａ，２４ｂは、出力ポート２００ａ，２００ｂの出力光を吸収することにより、外部に光が漏れることを防止する。
【００３７】
出力ポート２０１ａ，２０１ｂから出力された多重光信号は、他方路の光インターフェース部２ｂ，２ａの波長選択スイッチ２１ｂ，２１ａに入力される。波長選択スイッチ２１ａ，２１ｂは、出力ポート２０１ａ，２０１ｂからの多重光信号に加え、多重分離部３ａ，３ｂから多重光信号が入力される。多重分離部３からの多重光信号は、挿入対象となる波長λ１，λ２の光信号を含む。
【００３８】
波長選択スイッチ２１ａ，２１ｂは、監視制御部１ｃからの設定により選択された波長の光信号を多重し、多重光信号として出力アンプ２３ａ，２３ｂに出力する。波長選択スイッチ２１ａ，２１ｂは、出力ポート２０１ａ，２０１ｂからの多重光信号から、選択された波長λ３〜λ１０の光信号を抽出して、挿入対象となる波長λ１，λ２の光信号に多重する。出力アンプ２３ａ，２３ｂは、波長選択スイッチ２１ａ，２１ｂからの多重光信号を増幅し、方路＃１，＃２に出力する。
【００３９】
また、出力ポート２０１ａ，２０１ｂから出力された多重光信号は、波長選択スイッチ２１ｂ，２１ａの前段において、光スプリッタ２５０ｂ，２５０ａにより分岐されて、警報出力部２５ｂ，２５ａに入力される。
【００４０】
警報出力部２５ａ，２５ｂは、出力ポート２０１ａ，２０１ｂの出力光の光レベルを監視し、光レベルに応じて警報ＩＮＤＷＮａ＿３，ＩＮＤＷＮｂ＿３をそれぞれ出力する。光レベルの監視は、例えばＰＤ（Photo Detector）などの受光手段により行われる。
【００４１】
警報ＩＮＤＷＮａ＿３，ＩＮＤＷＮｂ＿３の出力条件は、図４に示されるとおりである。すなわち、警報ＩＮＤＷＮａ＿３，ＩＮＤＷＮｂ＿３は、出力ポート２０１ａ，２０１ｂからの多重光信号が断たれたことを意味する。
【００４２】
したがって、出力ポート２０１ａ，２０１ｂの分岐比を低下させることにより、光レベルを低下させて、警報出力部２５ａ，２５ｂから警報ＩＮＤＷＮａ＿３，ＩＮＤＷＮｂ＿３を出力させることができる。なお、警報ＩＮＤＷＮａ＿３，ＩＮＤＷＮｂ＿３は、監視制御部１ｃにより検出される。
【００４３】
また、出力ポート２０２ａ，２０２ｂから出力された多重光信号は、当該方路＃１、＃２の多重分離部３ａ，３ｂに入力される。多重分離部３ａ，３ｂは、多重部（ＭＵＸ）３１ａ，３１ｂ、分離部（ＤＥＭＵＸ）３０ａ，３０ｂ、警報出力部３２ａ，３２ｂ、及び光スプリッタ３３ａ，３３ｂを含む。
【００４４】
多重部３１ａ，３１ｂは、波長が異なる複数の光信号を多重して出力する。分離部３０ａ，３０ｂは、多重光信号を波長ごとの光信号に分離して出力する。多重部３１ａ，３１ｂ及び分離部３０ａ，３０ｂとしては、例えばアレイ導波路格子（AWG：Arrayed Waveguide Grating）が用いられるが、これに限定されず、波長選択スイッチが用いられてもよい。
【００４５】
分離部３０ａ，３０ｂは、出力ポート２０２ａ，２０２ｂから入力された多重光信号から、分岐対象の波長λ１，λ２の光信号を分離して、二重化部４ａ，４ｂにそれぞれ出力する。多重部３１ａ，３１ｂは、二重化部４ａ，４ｂからそれぞれ入力された挿入対象の波長λ１，λ２の光信号を多重して、波長選択スイッチ２１ａ，２１ｂに出力する。
【００４６】
また、出力ポート２０２ａ，２０２ｂから出力された多重光信号は、分離部３０ａ，３０ｂの前段において、光スプリッタ３３ａ，３３ｂにより分岐されて、警報出力部３２ａ，３２ｂに入力される。
【００４７】
警報出力部３２ａは、出力ポート２０２ａの出力光の光レベルを監視し、光レベルに応じて警報ＩＮＤＷＮａ＿０，ＰＯＳａ＿０を出力する。警報出力部３２ｂは、出力ポート２０２ｂの出力光の光レベルを監視し、光レベルに応じて警報ＩＮＤＷＮｂ＿０，ＰＯＳｂ＿０を出力する。光レベルの監視は、例えばＰＤなどの受光手段により行われる。
【００４８】
警報ＩＮＤＷＮａ＿０，ＩＮＤＷＮｂ＿０，ＰＯＳａ＿０，ＰＯＳｂ＿０の出力条件は、図４に示されるとおりである。すなわち、警報ＩＮＤＷＮａ＿０，ＩＮＤＷＮｂ＿０は、出力ポート２０２ａ，２０２ｂからの多重光信号が断たれたことをそれぞれ意味し、警報ＰＯＳａ＿０，ＰＯＳｂ＿０は、出力ポート２０２ａ，２０２ｂからの多重光信号が劣化したことをそれぞれ意味する。
【００４９】
したがって、出力ポート２０２ａ，２０２ｂの分岐比を低下させることにより、光レベルを低下させて、警報出力部３２ａ，３２ｂから警報ＩＮＤＷＮａ＿０，ＩＮＤＷＮｂ＿０，ＰＯＳａ＿０，ＰＯＳｂ＿０を出力させることができる。なお、警報ＩＮＤＷＮａ＿０，ＩＮＤＷＮｂ＿０，ＰＯＳａ＿０，ＰＯＳｂ＿０は、監視制御部１ｃにより検出される。
【００５０】
二重化部４ａは、波長λ１に対応し、光分岐部４０ａと、スイッチ部４１ａと、光終端器４３ａと、警報出力部４５ａ，４４ａと、光スプリッタ４７ａ，４６ａとを有する。二重化部４ｂは、波長λ２に対応し、光分岐部４０ｂと、スイッチ部４１ｂと、光終端器４３ｂと、警報出力部４５ｂ，４４ｂと、光スプリッタ４７ｂ，４６ｂとを有する。
【００５１】
光分岐部４０ａ，４０ｂは、それぞれ、３つの出力ポート（第１ポート〜第３ポート）４００ａ〜４０２ａ，４００ｂ〜４０２ｂを有し、出力ポートごとに分岐比が可変である。光分岐部４０ａは、トランスポンダ５ａから波長λ１の光信号（入力光）がそれぞれ入力され、光分岐部４０ｂは、トランスポンダ５ｂから波長λ２の光信号（入力光）が入力される。光分岐部４０ａ，４０ｂは、入力光を分岐させて出力ポート４００ａ〜４０２ａ，４００ｂ〜４０２ｂから出力する。なお、光分岐部４０ａ，４０ｂの構成の詳細については後述する。
【００５２】
出力ポート４００ａ，４００ｂから出力された多重光信号は、光終端器４３ａ，４３ｂに導かれて終端される。出力ポート４００ａ，４００ｂは、他の出力ポートの分岐比が低下したとき、自己の分岐比が増加することによって、当該他の出力ポートから出力できない余剰分の光パワーを光終端器４３ａ，４３ｂに逃がす。光終端器４３ａ，４３ｂは、出力ポート４００ａ，４００ｂの出力光を吸収することにより、外部に光が漏れることを防止する。
【００５３】
また、出力ポート４０１ａ，４０２ａから出力された波長λ１の光信号は、多重部３１ａ，３１ｂにそれぞれ入力され、出力ポート４０１ｂ，４０２ｂから出力された波長λ１の光信号は、多重部３１ａ，３１ｂにそれぞれ入力される。多重部３１ａにより多重された波長λ１，λ２の光信号は、波長選択スイッチ２１ａ及び出力アンプ２３ａを介して方路＃１に出力され、図１の経路Ｒ２を経由して、ノードＡにおいて分岐される。一方、多重部３１ｂにより多重された波長λ１，λ２の光信号は、波長選択スイッチ２１ｂ及び出力アンプ２３ｂを介して方路＃２に出力され、図１の経路Ｒ１を経由して、ノードＡにおいて分岐される。つまり、多重部３１ａ，３１ｂにより多重された波長λ１，λ２の光信号は、異なる経路Ｒ２，Ｒ１を経由して、ノードＣに到達する。
【００５４】
分離部３０ａ，３０ｂからそれぞれ出力された波長λ１の光信号は、スイッチ部４１ａに入力される。スイッチ部４１ａは、受信対象として、入力された２つの光信号の一方を選択して、トランスポンダ５ａに出力する。トランスポンダ５ａは、選択された光信号を受信して、１００ＧｂＥの信号として、外部に出力する。
【００５５】
また、分離部３０ａ，３０ｂからそれぞれ出力された波長λ２の光信号は、スイッチ部４１ｂに入力される。スイッチ部４１ｂは、受信対象として、入力された２つの光信号の一方を選択して、トランスポンダ５ｂに出力する。トランスポンダ５ｂは、選択された光信号を受信して、ＳＴＭ−６４の信号として、外部に出力する。
【００５６】
分離部３０ａから出力された波長λ１，λ２の各光信号は、図１を参照すれば理解されるように、ノードＡにおいて挿入され、経路Ｒ１を経由して、ノードＣにおいて分岐された信号である。一方、分離部３０ｂから出力された波長λ１，λ２の各光信号は、ノードＡにおいて挿入され、経路Ｒ２を経由して、ノードＣにおいて分岐された信号である。
【００５７】
このため、スイッチ部４１ａは、トランスポンダ５ａの受信対象となる波長λ１の光信号の経路Ｒ１，Ｒ２を選択でき、スイッチ部４１ｂは、トランスポンダ５ｂの受信対象となる波長λ２の光信号の経路Ｒ１，Ｒ２を選択できる。すなわち、スイッチ部４１ａ，４１ｂにより、波長λ１，λ２の光信号の経路Ｒ１，Ｒ２の切り替えが可能となる。なお、スイッチ部４１ａ，４１ｂに該切り替えをそれぞれ指示する切り替え信号ＳＷａ，ＳＷｂは、警報の検出を契機として、監視制御部１ｃから出力される。
【００５８】
また、分離部３０ａ，３０ｂからそれぞれ出力された波長λ１の光信号は、スイッチ部４１ａの前段において、光スプリッタ４７ａ，４６ａにより分岐されて、警報出力部４５ａ，４４ａにそれぞれ入力される。
【００５９】
警報出力部４５ａは、分離部３０ａから出力された波長λ１の光信号の光レベルを監視し、光レベルに応じて警報ＩＮＤＷＮａ＿１，ＰＯＳａ＿１を出力する。つまり、警報出力部４５ａは、ノードＡのＲＯＡＤＭ装置１における光分岐部４０ａの出力ポート４０２ａの出力光の光レベルを監視し、光レベルに応じて警報ＩＮＤＷＮａ＿１，ＰＯＳａ＿１を出力する。
【００６０】
一方、警報出力部４４ａは、分離部３０ｂから出力された波長λ１の光信号の光レベルを監視し、光レベルに応じて警報ＩＮＤＷＮｂ＿１，ＰＯＳｂ＿１を出力する。つまり、警報出力部４４ａは、ノードＡのＲＯＡＤＭ装置１における光分岐部４０ａの出力ポート４０１ａの出力光の光レベルを監視し、光レベルに応じて警報ＩＮＤＷＮｂ＿１，ＰＯＳｂ＿１を出力する。光レベルの監視は、例えばＰＤなどの受光手段により行われる。
【００６１】
警報ＩＮＤＷＮａ＿１，ＩＮＤＷＮｂ＿１，ＰＯＳａ＿１，ＰＯＳｂ＿１の出力条件は、図４に示されるとおりである。すなわち、警報ＩＮＤＷＮａ＿１，ＩＮＤＷＮｂ＿１は、ノードＡのＲＯＡＤＭ装置１における光分岐部４０ａの出力ポート４０２ａ，４０１ａからの波長λ１の光信号が断たれたことをそれぞれ意味する。また、警報ＰＯＳａ＿１，ＰＯＳｂ＿１は、ノードＡのＲＯＡＤＭ装置１における光分岐部４０ａの出力ポート４０２ａ，４０１ａからの波長λ１の光信号が劣化したことをそれぞれ意味する。
【００６２】
したがって、ノードＡのＲＯＡＤＭ装置１において光分岐部４０ａの出力ポート４０２ａ，４０１ａの分岐比を低下させることにより、光レベルを低下させて、警報出力部４５ａ，４４ａから警報ＩＮＤＷＮａ＿１，ＩＮＤＷＮｂ＿１，ＰＯＳａ＿１，ＰＯＳｂ＿１を出力させることができる。これは、ノードＡ及びノードＣを入れ替えた場合も同様である。なお、警報ＩＮＤＷＮａ＿１，ＩＮＤＷＮｂ＿１，ＰＯＳａ＿１，ＰＯＳｂ＿１は、監視制御部１ｃにより検出される。
【００６３】
また、分離部３０ａ，３０ｂからそれぞれ出力された波長λ２の光信号は、スイッチ部４１ｂの前段において、光スプリッタ４７ｂ，４６ｂにより分岐されて、警報出力部４５ｂ，４４ｂにそれぞれ入力される。
【００６４】
警報出力部４５ｂは、分離部３０ａから出力された波長λ２の光信号の光レベルを監視し、光レベルに応じて警報ＩＮＤＷＮａ＿２，ＰＯＳａ＿２を出力する。つまり、警報出力部４５ｂは、ノードＡのＲＯＡＤＭ装置１における光分岐部４０ｂの出力ポート４０２ｂの出力光の光レベルを監視し、光レベルに応じて警報ＩＮＤＷＮａ＿２，ＰＯＳａ＿２を出力する。
【００６５】
一方、警報出力部４４ｂは、分離部３０ｂから出力された波長λ２の光信号の光レベルを監視し、光レベルに応じて警報ＩＮＤＷＮｂ＿２，ＰＯＳｂ＿２を出力する。つまり、警報出力部４４２は、ノードＡのＲＯＡＤＭ装置１における光分岐部４０ｂの出力ポート４０１ｂの出力光の光レベルを監視し、光レベルに応じて警報ＩＮＤＷＮｂ＿２，ＰＯＳｂ＿２を出力する。光レベルの監視は、例えばＰＤなどの受光手段により行われる。
【００６６】
警報ＩＮＤＷＮａ＿２，ＩＮＤＷＮｂ＿２，ＰＯＳａ＿２，ＰＯＳｂ＿２の出力条件は、図４に示されるとおりである。すなわち、警報ＩＮＤＷＮａ＿２，ＩＮＤＷＮｂ＿２は、ノードＡのＲＯＡＤＭ装置１における光分岐部４０ｂの出力ポート４０２ｂ，４０１ｂからの波長λ２の光信号が断たれたことをそれぞれ意味する。また、警報ＰＯＳａ＿２，ＰＯＳｂ＿２は、ノードＡのＲＯＡＤＭ装置１における光分岐部４０ｂの出力ポート４０２ｂ，４０１ｂからの波長λ２の光信号が劣化したことをそれぞれ意味する。
【００６７】
したがって、ノードＡのＲＯＡＤＭ装置１において光分岐部４０ｂの出力ポート４０２ｂ，４０１ｂの分岐比を低下させることにより、光レベルを低下させて、警報出力部４５ｂ，４４ｂから警報ＩＮＤＷＮａ＿２，ＩＮＤＷＮｂ＿２，ＰＯＳａ＿２，ＰＯＳｂ＿２を出力させることができる。これは、ノードＡ及びノードＣを入れ替えた場合も同様である。なお、警報ＩＮＤＷＮａ＿２，ＩＮＤＷＮｂ＿２，ＰＯＳａ＿２，ＰＯＳｂ＿２は、監視制御部１ｃにより検出される。
【００６８】
監視制御部１ｃは、インターフェース部６０、警報検出部６１、スイッチ制御部６２、及び分岐比制御部６３を有する。監視制御部１ｃは、例えば、ＣＰＵ（Central Processing Unit）などのプロセッサを用いて、ソフトウェアにより動作する。
【００６９】
インターフェース部６０は、ＤＣＮ９０に接続され、ネットワーク管理装置９と通信する。また、インターフェース部６０は、ネットワーク管理装置９と他ノードとの通信を中継する。このとき、インターフェース部６０は、主信号のヘッダに情報を挿入し、または主信号のヘッダから情報を抽出することにより通信を中継する。
【００７０】
警報検出部６１は、各警報出力部２５ａ，２５ｂ，３２ａ，３２ｂ，４４ａ，４４ｂ，４５ａ，４５ｂから出力された警報を検出し、インターフェース部６０を介して、ネットワーク管理装置９に通知する。また、警報検出部６１は、警報ＩＮＤＷＮａ＿１，ＩＮＤＷＮｂ＿１，ＰＯＳａ＿１，ＰＯＳｂ＿１，ＩＮＤＷＮａ＿２，ＩＮＤＷＮｂ＿２，ＰＯＳａ＿２，ＰＯＳｂ＿２を検出した場合、該警報をスイッチ制御部６２に通知する。
【００７１】
スイッチ制御部６２は、警報検出部６１からの警報の通知に応じて、スイッチ部４１ａ，４１ｂに切り替え信号ＳＷａ，ＳＷｂをそれぞれ出力する。例えば、警報出力部４５ａが警報を出力した場合、スイッチ制御部６２は、切り替え信号ＳＷａにより、スイッチ部４１ａが、分離部３０ｂからの光信号を選択するように制御する。また、警報出力部４５ｂが警報を出力した場合、スイッチ制御部６２は、切り替え信号ＳＷｂにより、スイッチ部４１ｂが、分離部３０ａからの光信号を選択するように制御する。これにより、スイッチ制御部６２は、ＯＵＰＳＲ機能を実現する。
【００７２】
分岐比制御部６３は、光分岐部２０ａ，２０ｂ，４０ａ，４０ｂに制御信号ＳＰＬａ−１，ＳＰＬｂ−１，ＳＰＬａ−２，ＳＰＬｂ−２をそれぞれ出力することにより、光分岐部２０ａ，２０ｂ，４０ａ，４０ｂの分岐比を出力ポートごとに制御する。分岐比制御部６３は、インターフェース部６０を介して受信したネットワーク管理装置９の警報出力命令に従って、当該警報に応じた光分岐部２０ａ，２０ｂ，４０ａ，４０ｂの分岐比を出力ポートごとに制御する。これにより、監視対象となる光信号の光レベルが低下するので、各警報出力部２５ａ，２５ｂ，４４ａ，４４ｂ，４５ａ，４５ｂが警報を出力する。以下に、警報の出力の試験例について詳述する。
【００７３】
（警報機能の試験例（１））
本例では、方路＃１側の多重分離部３内の警報出力部４５ａに警報ＩＮＤＷＮａ＿０を出力させ、方路＃２側の多重分離部３内の警報出力部４５ｂに警報ＰＯＳｂ＿０を出力させる試験を行う。
【００７４】
図５には、本例におけるＲＯＡＤＭ装置１の動作が示されている。図５において、図３と共通する構成については、同一の符号を付し、その説明を省略する。また、図６は、警報ＩＮＤＷＮの試験手順のフローチャートである。以下に、図５を参照しながら、図６のフローに従って説明する。
【００７５】
まず、ネットワーク管理装置９が、作業者の操作に応じて、ノードＣの監視制御部１ｃに方路＃１側のＩＮＤＷＮ発生命令を送信する（ステップＳｔ１）。警報の発生命令は、例えば、作業者が、ネットワーク管理装置９のモニタ（表示画面）において、試験対象となるノード、及び、警報の種類（ＩＮＤＷＮ，ＰＯＳなど）などを選択することにより生成される。ＩＮＤＷＮ発生命令は、ＤＣＮ９０を介して、ノードＣのインターフェース部６０により受信され、適当な制御コードに変換されて、分岐比制御部６３に出力される。
【００７６】
次に、分岐比制御部６３は、方路＃１の光インターフェース部２ａ内の光分岐部２０ａの分岐比を、出力ポート２００ａ〜２０２ａごとに変更する（ステップＳｔ２）。分岐比制御部６３は、制御信号ＳＰＬａ−１を光分岐部２０ａに出力することにより、該分岐比を制御する。第１ポート２０２ａの分岐比は、５０％から０％に変更され、第２ポート２００ａの分岐比は、０％から５０％に変更される。また、第３ポート２０１ａの分岐比は、５０％に維持される。
【００７７】
次に、方路＃１の光インターフェース部２ａにおいて、光分岐部２０ａの各出力ポート２００ａ〜２０２ａの多重信号光（出力光）の光レベルが変化する（ステップＳｔ３）。例えば、第１ポート２０２ａの光レベルは、−３（ｄＢｍ）から−∞（ｄＢｍ）に変更され、第２ポート２００ａの光レベルは、−∞（ｄＢｍ）から−３（ｄＢｍ）に変更される。また、第３ポート２０１ａの光レベルは、−３（ｄＢｍ）に維持される。
【００７８】
このように、分岐比制御部６３は、第１ポート２０２ａの分岐比を低下させることにより、第１ポート２０２ａの出力光の光レベルを低下させる。また、分岐比制御部６３は、第２ポート２００ａの分岐比を増加させることにより、第１ポート２０２ａの出力光の光レベルの該低下量に応じて第２ポート２００ａの出力光の光レベルを増加させる。
【００７９】
したがって、第１ポート２０２ａの出力光の光レベルが低下することにより生じた余剰分の光（光パワー）は、第２ポート２００ａから逃がされ、光終端器２４ａに導かれて終端される。このため、運用中の回線の光信号が第３ポート２０１ａから出力される場合であっても、第３ポート２０１ａの出力光の光レベルは、分岐比の変更の影響を受けず、一定に維持され、運用中の回線は、影響を受けない。つまり、分岐比制御部６３は、第３ポート２０１ａの出力光の光レベルが維持されるように分岐比を制御する。
【００８０】
次に、方路＃１の多重分離部３ａにおいて、警報出力部３２ａは、第１ポート２０２ａからの多重光信号（出力光）を監視対象とするので、警報ＩＮＤＷＮａ＿０を出力する（ステップＳｔ４）。つまり、第１ポート２０２ａの光レベルが−∞（ｄＢｍ）になったため、閾値（−５０（ｄＢｍ））を下回り、図４に記載された警報ＩＮＤＷＮａ＿０の出力条件が満たされる。
【００８１】
次に、監視制御部１ｃにおいて、警報検出部６１は、警報ＩＮＤＷＮａ＿０を検出し、ネットワーク管理装置９に通知する（ステップＳｔ５）。このとき、警報検出部６１は、警報出力部３２ａから入力された警報ＩＮＤＷＮａ＿０を、インターフェース部６０及びＤＣＮ９０を介して、ネットワーク管理装置９に送信する。
【００８２】
次に、ネットワーク管理装置９は、警報ＩＮＤＷＮａ＿０をモニタに表示する（ステップＳｔ６）。これにより、作業者は、ネットワーク管理装置９を用いて、遠隔操作により警報が正常に出力されたことを確認する。このようにして、警報ＩＮＤＷＮの試験は行われる。
【００８３】
また、図７は、警報ＰＯＳの試験手順のフローチャートである。以下に、図５を参照しながら、図７のフローに従って説明する。
【００８４】
まず、ネットワーク管理装置９が、作業者の操作に応じて、ノードＣの監視制御部１ｃに方路＃２側のＰＯＳ発生命令を送信する（ステップＳｔ１１）。ＰＯＳ発生命令は、ＤＣＮ９０を介して、ノードＣのインターフェース部６０により受信され、適当な制御コードに変換されて、分岐比制御部６３に出力される。
【００８５】
次に、分岐比制御部６３は、方路＃２の光インターフェース部２ｂ内の光分岐部２０ｂの分岐比を、ポート２００ｂ〜２０２ｂごとに変更する（ステップＳｔ１２）。分岐比制御部６３は、制御信号ＳＰＬｂ−１を光分岐部２０ａに出力することにより、該分岐比を制御する。第１ポート２０２ｂの分岐比は、５０％から１％に変更され、第２ポート２００ｂの分岐比は、０％から４９％に変更される。また、第３ポート２０１ｂの分岐比は、５０％に維持される。
【００８６】
次に、方路＃２の光インターフェース部２ｂにおいて、光分岐部２０ｂの各出力ポート２００ｂ〜２０２ｂの多重信号光（出力光）の光レベルが変化する（ステップＳｔ１３）。例えば、第１ポート２０２ｂの光レベルは、−３（ｄＢｍ）から−２０（ｄＢｍ）に変更され、第２ポート２００ｂの光レベルは、−∞（ｄＢｍ）から−４（ｄＢｍ）に変更される。また、第３ポート２０１ｂの光レベルは、−３（ｄＢｍ）に維持される。
【００８７】
このように、分岐比制御部６３は、第１ポート２０２ｂの分岐比を低下させることにより、第１ポート２０２ｂの出力光の光レベルを低下させる。また、分岐比制御部６３は、第２ポート２００ｂの分岐比を増加させることにより、第１ポート２０２ｂの出力光の光レベルの低下量に応じて第２ポート２００ｂの出力光の光レベルを増加させる。
【００８８】
したがって、第１ポート２０２ｂの出力光の光レベルが低下することにより生じた余剰分の光（光パワー）は、第２ポート２００ｂから逃がされ、光終端器２４ｂに導かれて終端される。このため、運用中の回線の光信号が第３ポート２０１ｂから出力される場合であっても、第３ポート２０１ｂの出力光の光レベルは、分岐比の変更の影響を受けず、一定に維持され、運用中の回線は、影響を受けない。つまり、分岐比制御部６３は、第３ポート２０１ｂの出力光の光レベルが維持されるように分岐比を制御する。
【００８９】
次に、方路＃２の多重分離部３ｂにおいて、警報出力部３２ｂは、第１ポート２０２ｂからの多重光信号（出力光）を監視対象とするので、警報ＰＯＳｂ＿０を出力する（ステップＳｔ１４）。つまり、第１ポート２０２ｂの光レベルが−２０（ｄＢｍ）になったため、下限の閾値（−５０（ｄＢｍ））及び上限の閾値（−１５（ｄＢｍ））の範囲内となり、図４に記載された警報ＰＯＳｂ＿０の出力条件が満たされる。
【００９０】
次に、監視制御部１ｃにおいて、警報検出部６１は、警報ＰＯＳｂ＿０を検出し、ネットワーク管理装置９に通知する（ステップＳｔ１５）。このとき、警報検出部６１は、警報出力部３２ｂから入力された警報ＰＯＳｂ＿０を、インターフェース部６０及びＤＣＮ９０を介して、ネットワーク管理装置９に送信する。
【００９１】
次に、ネットワーク管理装置９は、警報ＰＯＳｂ＿０をモニタに表示する（ステップＳｔ１６）。これにより、作業者は、ネットワーク管理装置９を用いて、遠隔操作により警報が正常に出力されたことを確認する。このようにして、警報ＰＯＳの試験は行われる。
【００９２】
（警報機能の試験例（２））
本例では、ノードＣにおいて挿入され、方路＃１に送信される波長λ１の光信号の光レベルを低下させ、受信側のノードＡにおいて、二重化部４ａ内の警報出力部４５ａに警報ＩＮＤＷＮｂ＿１を出力させる試験を行う。また、ノードＣにおいて挿入され、方路＃２に送信される波長λ２の光信号の光レベルを低下させて、受信側のノードＡにおいて、二重化部４ｂ内の警報出力部４５ｂに警報ＰＯＳａ＿２を出力させる試験も行う。なお、本例では、警報機能とともに、警報出力により光信号の経路を切り替えるＯＵＰＳＲ機能の試験も行われる。
【００９３】
図８には、本例におけるノードＡのＲＯＡＤＭ装置１の動作が示され、図９には、本例におけるノードＣのＲＯＡＤＭ装置１の動作が示されている。図８及び図９において、図３と共通する構成については、同一の符号を付し、その説明を省略する。
【００９４】
また、図１０は、警報ＩＮＤＷＮの試験手順のフローチャートである。以下に、図８及び図９を参照しながら、図１０のフローに従って説明する。
【００９５】
まず、ネットワーク管理装置９が、作業者の操作に応じて、ノードＣの監視制御部１ｃに、方路＃１に送信される波長λ１の光信号に対応するＩＮＤＷＮ発生命令を送信する（ステップＳｔ２１）。ＩＮＤＷＮ発生命令は、ＤＣＮ９０を介して、ノードＣのインターフェース部６０により受信され、適当な制御コードに変換されて、分岐比制御部６３に出力される。
【００９６】
次に、分岐比制御部６３は、波長λ１に対応する二重化部４ａ内の光分岐部４０ａの分岐比を、出力ポート４００ａ〜４０２ａごとに変更する（ステップＳｔ２２）。分岐比制御部６３は、図８に示されるように、制御信号ＳＰＬａ−２を光分岐部４０ａに出力することにより、該分岐比を制御する。第１ポート４０１ａの分岐比は、５０％から０％に変更され、第２ポート４００ａの分岐比は、０％から５０％に変更される。また、第３ポート４０２ａの分岐比は、５０％に維持される。
【００９７】
次に、ノードＣの二重化部４ａ内の光分岐部４０ａにおいて、各出力ポート４００ａ〜４０２ａの波長λ１の光信号（出力光）の光レベルが変化する（ステップＳｔ２３）。例えば、第１ポート４０１ａの光レベルは、−３（ｄＢｍ）から−∞（ｄＢｍ）に変更され、第２ポート４００ａの光レベルは、−∞（ｄＢｍ）から−３（ｄＢｍ）に変更される。また、第３ポート４０２ａの光レベルは、−３（ｄＢｍ）に維持される。
【００９８】
このように、分岐比制御部６３は、第１ポート４０１ａの分岐比を低下させることにより、第１ポート４０１ａの出力光の光レベルを低下させる。また、分岐比制御部６３は、第２ポート４００ａの分岐比を増加させることにより、第１ポート４０１ａの出力光の光レベルの該低下量に応じて第２ポート４００ａの出力光の光レベルを増加させる。
【００９９】
したがって、第１ポート４０１ａの出力光の光レベルが低下することにより生じた余剰分の光（光パワー）は、第２ポート４００ａから逃がされ、光終端器４３ａに導かれて終端される。このため、第３ポート４０２ａの出力光（他経路の波長λ１の光信号）の光レベルは、分岐比の変更の影響を受けず、一定に維持される。つまり、分岐比制御部６３は、第３ポート４０２ａの出力光の光レベルが維持されるように分岐比を制御する。
【０１００】
次に、図９に示されるように、受信側のノードＡにおいて、波長λ１に対応する二重化部４ａ内の警報出力部４４ａは、ノードＣから経路Ｒ２を経由して受信した波長λ１の光信号を監視対象とするので、警報ＩＮＤＷＮｂ＿１を出力する（ステップＳｔ２４）。つまり、第１ポート４０１ａの光レベルが−∞（ｄＢｍ）になったため、閾値（−３０（ｄＢｍ））を下回り、図４に記載された警報ＩＮＤＷＮｂ＿１の出力条件が満たされる。
【０１０１】
次に、警報検出部６１は、警報ＩＮＤＷＮｂ＿１を検出し、スイッチ制御部６２に通知する（ステップＳｔ２５）。スイッチ制御部６２は、該通知に応じて、波長λ１の光信号の経路の切り替えをスイッチ部４１ａに指示する（ステップＳｔ２６）。より具体的には、スイッチ制御部６２は、波長λ１の光信号の経路が、経路Ｒ２から経路Ｒ１に切り替えられるように、切り替え信号ＳＷａをスイッチ部４１ａに出力する。
【０１０２】
次に、二重化部４ａ内のスイッチ部４１ａは、切り替え信号ＳＷａに従って、波長λ１の光信号の経路を切り替える（ステップＳｔ２７）。より具体的には、スイッチ部４１ａは、分離部３０ａ，３０ｂから入力される２つの光信号のうち、方路＃１の分離部３０ａからの光信号を選択する（矢印Ｋ１参照）。
【０１０３】
次に、ノードＡの監視制御部１ｃにおいて、警報検出部６１は、警報ＩＮＤＷＮｂ＿１及び波長λ１の光信号の経路切り替え（経路切り替えイベント）を、ノードＣの監視制御部１ｃに通知する（ステップＳｔ２８）。このとき、ノードＣの監視制御部１ｃへの通知は、インターフェース部６０を介して行われる。
【０１０４】
次に、ノードＣの監視制御部１ｃは、警報ＩＮＤＷＮｂ＿１及び波長λ１の光信号の経路切り替え（経路切り替えイベント）を、ネットワーク管理装置９に通知する（ステップＳｔ２９）。通知は、インターフェース部６０からＤＣＮ９０を介して、ネットワーク管理装置９に送信される。
【０１０５】
次に、ネットワーク管理装置９は、警報ＩＮＤＷＮｂ＿１及び波長λ１の光信号の経路切り替え（経路切り替えイベント）を、モニタに表示する（ステップＳｔ３０）。これにより、作業者は、ネットワーク管理装置９を用いて、遠隔操作により警報が正常に出力されたこと、及び、経路切り替えが正常に行われたことを確認する。このようにして、警報ＩＮＤＷＮの試験は行われる。
【０１０６】
また、図１１は、警報ＰＯＳの試験手順のフローチャートである。以下に、図８及び図９を参照しながら、図１１のフローに従って説明する。
【０１０７】
まず、ネットワーク管理装置９が、作業者の操作に応じて、ノードＣの監視制御部１ｃに、方路＃２に送信される波長λ２の光信号に対応するＰＯＳ発生命令を送信する（ステップＳｔ３１）。ＰＯＳ発生命令は、ＤＣＮ９０を介して、ノードＣのインターフェース部６０により受信され、適当な制御コードに変換されて、分岐比制御部６３に出力される。
【０１０８】
次に、分岐比制御部６３は、波長λ２に対応する二重化部４ｂ内の光分岐部４０ｂの分岐比を、出力ポート４００ｂ〜４０２ｂごとに変更する（ステップＳｔ３２）。分岐比制御部６３は、図８に示されるように、制御信号ＳＰＬｂ−２を光分岐部４０ｂに出力することにより、該分岐比を制御する。第１ポート４０２ｂの分岐比は、５０％から１％に変更され、第２ポート４００ｂの分岐比は、０％から４９％に変更される。また、第３ポート４０１ｂの分岐比は、５０％に維持される。
【０１０９】
次に、ノードＣの光分岐部４０ｂにおいて、各出力ポート４００ｂ〜４０２ｂの波長λ２の光信号（出力光）の光レベルが変化する（ステップＳｔ３３）。例えば、第１ポート４０２ｂの光レベルは、−３（ｄＢｍ）から−２０（ｄＢｍ）に変更され、第２ポート４００ｂの光レベルは、−∞（ｄＢｍ）から−４（ｄＢｍ）に変更される。また、第３ポート４０１ｂの光レベルは、−３（ｄＢｍ）に維持される。
【０１１０】
このように、分岐比制御部６３は、第１ポート４０２ｂの分岐比を低下させることにより、第１ポート４０２ｂの出力光の光レベルを低下させる。また、分岐比制御部６３は、第２ポート４００ｂの分岐比を増加させることにより、第１ポート４０２ｂの出力光の光レベルの該低下量に応じて第２ポート４００ｂの出力光の光レベルを増加させる。
【０１１１】
したがって、第１ポート４０２ｂの出力光の光レベルが低下することにより生じた余剰分の光（光パワー）は、第２ポート４００ｂから逃がされ、光終端器４３ｂに導かれて終端される。このため、第３ポート４０１ｂの出力光（他経路の波長λ２の光信号）の光レベルは、分岐比の変更の影響を受けず、一定に維持される。つまり、分岐比制御部６３は、第３ポート４０１ｂの出力光の光レベルが維持されるように分岐比を制御する。
【０１１２】
次に、図９に示されるように、受信側のノードＡにおいて、波長λ２に対応する二重化部４ｂ内の警報出力部４５ｂは、ノードＣから経路Ｒ１を経由して受信した波長λ２の光信号を監視対象とするので、警報ＰＯＳａ＿２を出力する（ステップＳｔ３４）。つまり、第１ポート４０２ｂの光レベルが−２０（ｄＢｍ）になったため、下限の閾値（−５０（ｄＢｍ））及び上限の閾値（−１５（ｄＢｍ））の範囲内となり、図４に記載された警報ＰＯＳａ＿２の出力条件が満たされる。
【０１１３】
次に、警報検出部６１は、警報ＰＯＳａ＿２を検出し、スイッチ制御部６２に通知する（ステップＳｔ３５）。スイッチ制御部６２は、該通知に応じて、波長λ２の光信号の経路の切り替えをスイッチ部４１ｂに指示する（ステップＳｔ３６）。より具体的には、スイッチ制御部６２は、波長λ２の光信号の経路が、経路Ｒ１から経路Ｒ２に切り替えられるように、切り替え信号ＳＷｂをスイッチ部４１ｂに出力する。
【０１１４】
次に、二重化部４ｂ内のスイッチ部４１ｂは、切り替え信号ＳＷｂに従って、波長λ２の光信号の経路を切り替える（ステップＳｔ３７）。より具体的には、スイッチ部４１ｂは、分離部３０ａ，３０ｂから入力される２つの光信号のうち、方路＃２の分離部３０ｂからの光信号を選択する（矢印Ｋ２参照）。
【０１１５】
次に、ノードＡの監視制御部１ｃにおいて、警報検出部６１は、警報ＰＯＳａ＿２及び波長λ２の光信号の経路切り替え（経路切り替えイベント）を、ノードＣの監視制御部１ｃに通知する（ステップＳｔ３８）。このとき、ノードＣの監視制御部１ｃへの通知は、インターフェース部６０を介して行われる。
【０１１６】
次に、ノードＣの監視制御部１ｃは、警報ＰＯＳａ＿２及び波長λ２の光信号の経路切り替え（経路切り替えイベント）を、ネットワーク管理装置９に通知する（ステップＳｔ３９）。通知は、インターフェース部６０からＤＣＮ９０を介して、ネットワーク管理装置９に送信される。
【０１１７】
次に、ネットワーク管理装置９は、警報ＰＯＳａ＿２及び波長λ２の光信号の経路切り替え（経路切り替えイベント）を、モニタに表示する（ステップＳｔ４０）。これにより、作業者は、ネットワーク管理装置９を用いて、遠隔操作により警報が正常に出力されたこと、及び、経路切り替えが正常に行われたことを確認する。このようにして、警報ＰＯＳの試験は行われる。
【０１１８】
上述した警報機能の試験により、各警報出力部２５ａ，２５ｂ，４４ａ，４４ｂ，４５ａ，４５ｂの動作確認が可能となる。このため、各警報出力部２５ａ，２５ｂ，４４ａ，４４ｂ，４５ａ，４５ｂが、ＰＤを内蔵する場合、経年劣化によるＰＤの受光感度の異常が検出される。なお、例示した警報以外の警報についても、同様の手順で試験が可能である。
【０１１９】
また、警報機能の試験により、各波長λ１，λ２の光信号の経路Ｒ１，Ｒ２の切り替えの動作確認も可能となる。このため、スイッチ部４１ａ、４１ｂの故障が検出される。このとき、ネットワーク管理装置９のモニタに、警報及び経路切り替えイベントの発生を表示することにより、ネットワーク管理機能が正常であることも確認される。
【０１２０】
さらに、以下に述べるように、警報機能の試験により、光ネットワークを拡張した場合における、各部間の光ファイバの接続の誤りも検出される。
【０１２１】
（光ファイバの誤接続の確認試験）
図１２Ａ及び図１２Ｂは、方路が拡張された光伝送装置の機能構成例を示す構成図である。より具体的には、図１２Ａ及び図１２Ｂは、図２に示されるように光ネットワークを拡張した場合において、方路が拡張されたノードＣのＲＯＡＤＭ装置１のコア部１ａの構成例を示す。なお、図１２Ａ及び図１２Ｂにおいて、図３と共通する構成については、同一の符号を付し、その説明を省略する。
【０１２２】
コア部１ａは、方路＃１〜方路＃４ごとに対応する光インターフェース部２ａ〜２ｄ及び多重分離部３ａ〜３ｄを有する。このうち、光インターフェース部２ｃ，２ｄ及び多重分離部３ｃ，３ｄは、方路＃３，＃４の追加に伴って設けられた部分である。
【０１２３】
光インターフェース部２ａ〜２ｄは、入力アンプ２２ａ〜２２ｄ、出力アンプ２３ａ〜２３ｄ、光分岐部２６ａ〜２６ｄ、波長選択スイッチ２７ａ〜２７ｄ、及び光終端器２４ａ〜２４ｄをそれぞれ有する。また、多重分離部３ａ〜３ｄは、多重部３１ａ〜３１ｄ及び分離部３０ａ〜３０ｄをそれぞれ有する。
【０１２４】
光分岐部２６ａ〜２６ｄは、図３の光分岐部２０ａ，２０ｂと同様に、入力光を分岐させて５つの出力ポート（１）〜（５）（番号「１」〜「５」参照）から出力する。光分岐部２６ａ〜２６ｄの出力ポート（１）は、同一方路に対応する分離部３０ａ〜３０ｄと接続され、出力ポート（２）〜（４）は、他方路の波長選択スイッチ２７ａ〜２７ｄと接続され、出力ポート（５）は、光終端器２４ａ〜２４ｄと接続されている。光分岐部２６ａ〜２６ｄは、分岐比制御部６３により出力ポート（１）〜（５）ごとに分岐比が制御される。
【０１２５】
また、波長選択スイッチ２７ａ〜２７ｄは、図３の波長選択スイッチ２１ａ，２１ｂと同様に、４つの入力ポート（１）〜（４）（番号「１」〜「４」参照）からそれぞれ入力された波長光のうち、選択された波長光を多重し、多重光信号として出力する。波長選択スイッチ２７ａ〜２７ｄの入力ポート（１）は、同一方路に対応する多重部３１ａ〜３１ｄと接続され、入力ポート（２）〜（４）は、他方路の光分岐部２６ａ〜２６ｄと接続される。
【０１２６】
本例では、図１２Ａ中の光ファイバＦＢ１，ＦＢ２の接続が誤った場合を示す。光ファイバＦＢ１は、方路＃１の光分岐部２６ａの出力ポート（４）及び方路＃４の波長選択スイッチ２７ｄの入力ポート（４）を接続する。光ファイバＦＢ２は、方路＃３の光分岐部２６ｃの出力ポート（４）及び方路＃２の波長選択スイッチ２７ｂの入力ポート（２）を接続する。なお、光ファイバＦＢ１，ＦＢ２の接続コネクタは、各光インターフェース部２ａ〜２ｄの端部に設けられている。
【０１２７】
方路＃２の光インターフェース部２ｂは、光ファイバＦＢ２を介して波長選択スイッチ２７ｂの入力ポート（２）に入力される多重光信号を監視対象とする警報出力部２９ｂを有する。監視対象の光信号は、光ファイバＦＢ２から光インターフェース部２ｂに入力された後、光スプリッタ２８ｂにより分岐し、波長選択スイッチ２７ｂの入力ポート（２）及び警報出力部２９ｂに入力される。
【０１２８】
警報出力部２９ｂは、方路＃３の光分岐部２６ｃの出力ポート（４）の出力光の光レベルを監視し、光レベルに応じて警報ＩＮＤＷＮｂ＿３を出力する。警報ＩＮＤＷＮｂ＿３の出力条件は、図４に示されるとおりである。すなわち、警報ＩＮＤＷＮｂ＿３は、光分岐部２６ｃの出力ポート（４）からの多重光信号が断たれたことをそれぞれ意味する。
【０１２９】
一方、方路＃４の光インターフェース部２ｄは、光ファイバＦＢ１を介して波長選択スイッチ２７ｄの入力ポート（４）に入力され多重光信号を監視対象とする警報出力部２９ｄを有する。監視対象の光信号は、光ファイバＦＢ１から光インターフェース部２ｄに入力された後、光スプリッタ２８ｄにより分岐し、波長選択スイッチ２７ｄの入力ポート（４）及び警報出力部２９ｄに入力される。
【０１３０】
警報出力部２９ｄは、方路＃１の光分岐部２６ａの出力ポート（４）の出力光の光レベルを監視し、光レベルに応じて警報ＩＮＤＷＮｄ＿３を出力する。警報ＩＮＤＷＮｄ＿３の出力条件は、図４に示されるとおりである。すなわち、警報ＩＮＤＷＮｄ＿３は、光分岐部２６ａの出力ポート（４）からの多重光信号が断たれたことをそれぞれ意味する。
【０１３１】
したがって、分岐比制御部３１の制御信号ＳＰＬａ−１により、例えば、方路＃１の光分岐部２６ａの出力ポート（４）の分岐比を２５％から０％に減少させ、出力ポート（５）の分岐比を０％から２５％に増加させたとき、警報ＩＮＤＷＮｄ＿３が出力される。つまり、光ファイバＦＢ１，ＦＢ２の接続が正しい場合、上記の分岐比の制御により、警報検出部６１において警報ＩＮＤＷＮｄ＿３が検出される。
【０１３２】
一方、図１３Ａ及び図１３Ｂは、図１２Ａ及び図１２Ｂに示された光伝送装置における光ファイバの誤接続の一例を示す構成図である。より具体的には、図１３Ａには、図１２Ａに示されたＲＯＡＤＭ装置１において、光ファイバＦＢ１，ＦＢ２の接続先を入れ替えた例が示されている。
【０１３３】
光ファイバＦＢ１は、方路＃１の光分岐部２６ａの出力ポート（４）及び方路＃２の波長選択スイッチ２７ｂの入力ポート（２）を接続する。光ファイバＦＢ２は、方路＃３の光分岐部２６ｃの出力ポート（４）及び方路＃４の波長選択スイッチ２７ｄの入力ポート（４）を接続する。
【０１３４】
この接続構成において、分岐比制御部３１の制御信号ＳＰＬａ−１により、例えば、方路＃１の光分岐部２６ａの出力ポート（４）の分岐比を２５％から０％に減少させ、出力ポート（５）の分岐比を０％から２５％に増加させたとき、警報ＩＮＤＷＮｂ＿３が出力される。つまり、光ファイバＦＢ１，ＦＢ２の接続が誤っている場合、上記の分岐比の制御により、警報検出部６１において警報ＩＮＤＷＮｂ＿３が検出される。このため、検出される警報に基づいて、光ファイバＦＢ１，ＦＢ２の接続の正否が確認される。
【０１３５】
図１４は、光ファイバの誤接続の確認試験の手順を示すフローチャートである。以下に、図１２Ａ，図１２Ｂ、図１３Ａ、及び図１３Ｂを参照しながら、図１４のフローに従って説明する。
【０１３６】
まず、ネットワーク管理装置９が、作業者の操作に応じて、ノードＣの監視制御部１ｃに方路＃１側のＩＮＤＷＮ発生命令を送信する（ステップＳｔ４１）。このとき、ネットワーク管理装置９は、光ファイバＦＢ１，ＦＢ２の接続が正しい場合に検出が期待される期待警報として、警報ＩＮＤＷＮｄ＿３をハードディスクなどの記憶デバイスに記憶する。ＩＮＤＷＮ発生命令は、ＤＣＮ９０を介して、ノードＣのインターフェース部６０により受信され、適当な制御コードに変換されて、分岐比制御部６３に出力される。
【０１３７】
次に、分岐比制御部６３は、方路＃１の光インターフェース部２ａ内の光分岐部２６ａの分岐比を、出力ポート（１）〜（５）ごとに変更する（ステップＳｔ４２）。分岐比制御部６３は、制御信号ＳＰＬａ−１を光分岐部２６ａに出力することにより、該分岐比を制御する。出力ポート（４）の分岐比は、２５％から０％に変更され、出力ポート（５）の分岐比は、０％から２５％に変更される。また、他の出力ポート（１）〜（３）の分岐比は、２５％に維持される。
【０１３８】
次に、方路＃１の光インターフェース部２ａにおいて、光分岐部２６ａの各出力ポート（１）〜（５）の多重信号光（出力光）の光レベルが変化する（ステップＳｔ４３）。例えば、出力ポート（４）の光レベルは、−４（ｄＢｍ）から−∞（ｄＢｍ）に変更され、出力ポート（５）の光レベルは、−∞（ｄＢｍ）から−４（ｄＢｍ）に変更される。また、出力ポート（１）〜（３）の光レベルは、−４（ｄＢｍ）に維持される。
【０１３９】
このように、分岐比制御部６３は、出力ポート（４）の分岐比を低下させることにより、出力ポート（４）の出力光の光レベルを低下させる。また、分岐比制御部６３は、出力ポート（５）の分岐比を増加させることにより、出力ポート（４）の出力光の光レベルの該低下量に応じて出力ポート（５）の出力光の光レベルを増加させる。
【０１４０】
したがって、出力ポート（４）の出力光の光レベルが低下することにより生じた余剰分の光（光パワー）は、出力ポート（５）から逃がされ、光終端器２４ａに導かれて終端される。このため、運用中の回線の光信号が他の出力ポート（１）〜（３）から出力される場合であっても、他の出力ポート（１）〜（３）の出力光の光レベルは、分岐比の変更の影響を受けず、一定に維持され、運用中の回線は、影響を受けない。つまり、分岐比制御部６３は、他の出力ポート（１）〜（３）の出力光の光レベルが維持されるように分岐比を制御する。
【０１４１】
次に、光ファイバＦＢ１，ＦＢ２の接続が正しい場合（ステップＳｔ４４のＹＥＳ）、ステップＳｔ４５以降の処理が行われ、光ファイバＦＢ１，ＦＢ２の接続が誤っている場合（ステップＳｔ４４のＮＯ）、ステップＳｔ４８以降の処理が行われる。
【０１４２】
光ファイバＦＢ１，ＦＢ２の接続が正しい場合（ステップＳｔ４４のＹＥＳ）、図１２Ａに示されるように、方路＃４の光インターフェース部２ｄにおいて、警報出力部２９ｄが警報ＩＮＤＷＮｄ＿３を出力する（ステップＳｔ４５）。つまり、光分岐部２６ａのポート（４）の光レベルが−∞（ｄＢｍ）になったため、閾値（−５０（ｄＢｍ））を下回り、図４に記載された警報ＩＮＤＷＮｄ＿３の発生条件が満たされる。
【０１４３】
次に、監視制御部１ｃにおいて、警報検出部６１は、警報ＩＮＤＷＮｄ＿３を検出し、ネットワーク管理装置９に通知する（ステップＳｔ４６）。このとき、警報検出部６１は、警報出力部２９ｄから入力された警報ＩＮＤＷＮｄ＿３を、インターフェース部６０及びＤＣＮ９０を介して、ネットワーク管理装置９に送信する。
【０１４４】
次に、ネットワーク管理装置９は、警報ＩＮＤＷＮｄ＿３及び光ファイバＦＢ１，ＦＢ２の接続が正しい旨をモニタに表示する（ステップＳｔ４７）。このとき、ネットワーク管理装置９は、警報ＩＮＤＷＮｄ＿３が上記の期待警報に一致することを判断することにより、該表示を実行する。これにより、作業者は、光ファイバＦＢ１，ＦＢ２の接続が正しいことを確認する。
【０１４５】
一方、光ファイバＦＢ１，ＦＢ２の接続が誤っている場合（ステップＳｔ４４のＮＯ）、図１３Ａに示されるように、方路＃２の光インターフェース部２ｂにおいて、警報出力部２９ｂが警報ＩＮＤＷＮｂ＿３を出力する（ステップＳｔ４８）。つまり、光分岐部２６ａの出力ポート（４）の光レベルが−∞（ｄＢｍ）になったため、閾値（−５０（ｄＢｍ））を下回り、図４に記載された警報ＩＮＤＷＮｂ＿３の出力条件が満たされる。
【０１４６】
次に、監視制御部１ｃにおいて、警報検出部６１は、警報ＩＮＤＷＮｂ＿３を検出し、ネットワーク管理装置９に通知する（ステップＳｔ４９）。このとき、警報検出部６１は、警報出力部２９ｂから入力された警報ＩＮＤＷＮｂ＿３を、インターフェース部６０及びＤＣＮ９０を介して、ネットワーク管理装置９に送信する。
【０１４７】
次に、ネットワーク管理装置９は、警報ＩＮＤＷＮｂ＿３及び光ファイバＦＢ１，ＦＢ２の接続が誤りである旨をモニタに表示する（ステップＳｔ４６）。このとき、ネットワーク管理装置９は、警報ＩＮＤＷＮｂ＿３が上記の期待警報に一致しないことを判断することにより、該表示を実行する。これにより、作業者は、ネットワーク管理装置９を用いて、遠隔操作により光ファイバＦＢ１，ＦＢ２の接続が誤りであることを確認する。このようにして、光ファイバの誤接続の確認試験は行われる。
【０１４８】
（光分岐部）
次に、光分岐部２０ａ，２０ｂ，４０ａ，４０ｂ，２６ａ〜２６ｄの構成例を説明する。図１５は、可変分岐比を有する光スプリッタの機能構成の一例を示す構成図である。なお、以降の説明において、可変分岐比を有する光スプリッタを、通常の光スプリッタと区別するために、「可変光スプリッタ」と表記する。
【０１４９】
可変光スプリッタは、光学薄膜７０及びコリメータ７１〜７３を有する。コリメータ７１は、入射光Ｌｉを平行光線にして光学薄膜７０へ導く。光学薄膜７０は、入射光Ｌｉを透過してコリメータ７１に導き、また、入射光Ｌｉを反射してコリメータ７３に導く。コリメータ７１は、透過された入射光Ｌｉを平行光線にして、透過光Ｌｔとして出力する。コリメータ７３は、反射された入射光Ｌｉを平行光線にして、反射光Ｌｒとして出力する。
【０１５０】
光学薄膜７０は、方向Ｚにおいて位置が可変であり、入力光Ｌｉに対する入射位置を変化させることにより、透過率及び反射率が変化する。図１６は、光学薄膜７０の位置変化に対する透過光Ｌｔ及び反射光ＬｒのパワーＰｔ，Ｐｒの変化を示すグラフである。このように、透過光Ｌｔ及び反射光ＬｒのパワーＰｔ，Ｐｒは、０〜１００％の間で、光学薄膜７０の位置（Ｚ）に対して線形的に変化する。また、パワーＰｔ，Ｐｒは、互いに反比例するように変化する。もっとも、パワーＰｔ，Ｐｒの合計は、１００％である。したがって、透過光Ｌｔ及び反射光Ｌｒを、１×２ポートの可変光スプリッタの分岐した出力光として用いることができる。
【０１５１】
また、可変光スプリッタは、マッハツェンダ型干渉計を用いて構成することもできる。図１７は、この場合の可変光スプリッタの機能構成を示す構成図である。
【０１５２】
可変光スプリッタは、２分岐（分岐比１：１）の光カプラ７４，７７と、一対のアーム７５，７６と、ヒータ７８とを有する。光カプラ７４，７７は、分岐した端部が互いに組み合わされて導波路を形成する。アーム７５，７６は、２分岐した導波路上に設けられ、一方のアーム７５にはヒータ７８が設けられている。ヒータ７８は、外部からの制御に応じて、アーム７５を加熱する。
【０１５３】
本例では、ヒータ７８の発熱量を制御することによりアーム７５内の光の位相を変化させて、他方のアーム７６内の光との干渉状態を変化させる。これにより、２つの出力光のパワーＰ１ｏｕｔ，Ｐ２ｏｕｔも変化する。
【０１５４】
図１８は、光の位相差（φｓ）変化に対する出力光のパワーＰ１ｏｕｔ，Ｐ２ｏｕｔの変化を示すグラフである。パワーＰ１ｏｕｔ，Ｐ２ｏｕｔは、入力光のパワーをＰｉｎとすると、以下の式（１），（２）によりそれぞれ表される。なお、定数αは、結合係数である。
【０１５５】
Ｐ１ｏｕｔ＝Ｐｉｎ（１＋αｃｏｓφｓ）／２                  式（１）
Ｐ２ｏｕｔ＝Ｐｉｎ（１＋αｓｉｎφｓ）／２                  式（２）
【０１５６】
したがって、パワーＰ１ｏｕｔ，Ｐ２ｏｕｔの各光を、１×２ポートの可変光スプリッタの分岐した出力光として用いることができる。
【０１５７】
このような１×２ポートの可変光スプリッタを用いることにより、以下のように１×３ポートの光分岐部２０ａ，２０ｂ，４０ａ，４０ｂが構成される。図１９は、光分岐部２０ａ，２０ｂ，４０ａ，４０ｂの構成の一例を示す構成図である。
【０１５８】
光分岐部２０ａ，２０ｂ，４０ａ，４０ｂは、チューナー８０と、２つの可変光スプリッタ８１，８２を有する。可変光スプリッタ８１，８２は、例えば図１５または図１７に示された構成を有している。
【０１５９】
チューナー８０は、分岐比制御部３１の制御信号ＳＰＬａ−１，ＳＰＬｂ−１，ＳＰＬａ−２，ＳＰＬｂ−２に応じて、可変光スプリッタ８１，８２の２つの出力光Ｌ１〜Ｌ３，Ｌａのパワーをそれぞれ調整する。例えば、可変光スプリッタ８１，８２が、図１５に示された構成を有する場合、チューナー８０は、方向Ｚにおける光学薄膜７０の位置を調整する。また、可変光スプリッタ８１，８２が、図１７に示された構成を有する場合、チューナー８０は、ヒータ７８の発熱量を調整する。
【０１６０】
一方の可変光スプリッタ８２は、入力光Ｌを分岐させて、２つの出力光Ｌａ，Ｌ１を出力する。一方の出力光Ｌａは、他方の可変光スプリッタ８１に入力されて分岐し、他方の出力光Ｌ１は、外部に出力される。このため、３つの出力光Ｌ１〜Ｌ３の各パワーが０％から１００％の範囲において可変となる。もっとも、出力光Ｌ１〜Ｌ３の各パワーは、その合計が１００％となるように調整される。
【０１６１】
図１９の例において、光分岐部２０ａ，２０ｂ，４０ａ，４０ｂは、全ポートの分岐比が可変であるが、一部のポートの分岐比を固定としてもよい。図２０は、光分岐部２０ａ，２０ｂ，４０ａ，４０ｂの構成の他例を示す構成図である。図２０において、図１９と共通する構成については、同一の符号を付し、その説明を省略する。
【０１６２】
光分岐部２０ａ，２０ｂ，４０ａ，４０ｂは、チューナー８０と、可変光スプリッタ８１と、光スプリッタ８３とを有する。チューナー８０は、分岐比制御部３１の制御信号ＳＰＬａ−１，ＳＰＬｂ−１，ＳＰＬａ−２，ＳＰＬｂ−２に応じて、可変光スプリッタ８１の２つの出力光Ｌ２，Ｌ３のパワーを調整する。
【０１６３】
光スプリッタ８３は、１×２ポートを有し、２つの出力ポートの分岐比が１：１に固定されている。光スプリッタ８３は、入力光Ｌを分岐させて、２つの出力光Ｌａ，Ｌ１を出力する。一方の出力光Ｌａは、可変光スプリッタ８１に入力されて分岐し、他方の出力光Ｌ１は、外部に出力される。このため、２つの出力光Ｌ２，Ｌ３の各パワーが０％から５０％の範囲において可変となり、出力光Ｌ１のパワーは、５０％に固定される。もっとも、出力光Ｌ２，Ｌ３の各パワーは、出力光Ｌ１〜Ｌ３の合計が１００％となるように調整される。
【０１６４】
本例の構成によれば、分岐比が固定された通常の光スプリッタ８３を用いるので、図１９の構成例と比較して、コストが低減される。なお、１×５ポートの光分岐部２６ａ〜２６ｄ、あるいは、それ以外のポート数の光分岐部も、同様に、複数の可変光スプリッタの組み合わせ、または複数の可変光スプリッタ及び光スプリッタの組み合わせにより構成される。
【０１６５】
また、光分岐部２０ａ，２０ｂ，４０ａ，４０ｂ，２６ａ〜２６ｄは、可変光スプリッタに限定されず、例えば、波長選択スイッチや複数の可変減衰器（VOA: Variable Optical Attenuator）を用いて構成されてもよい。後者の場合、光スプリッタの出力ポートごとに設けられた可変減衰器の減衰量を調整することにより、光レベルが制御される。
【０１６６】
これまで述べたように、実施例に係る光伝送装置１は、光分岐部２０ａ，２０ｂ，４０ａ，４０ｂと、分岐比制御部６３とを有する。光分岐部２０ａ，２０ｂ，４０ａ，４０ｂは、分岐させた入力光を出力する少なくとも第１ポート２０２ａ，２０２ｂ，４０１ａ，４０２ｂ、第２ポート２００ａ，２００ｂ，４００ａ，４００ｂ、及び第３ポート２０１ａ，２０１ｂ，４０２ａ，４０１ｂを有する。分岐比制御部６３は、分岐比を制御することにより、監視対象となる第１ポート２０２ａ，２０２ｂ，４０１ａ，４０２ｂの出力光の光レベルを低下させ、該低下量に応じて第２ポート２００ａ，２００ｂ，４００ａ，４００ｂの出力光の光レベルを増加させる。
【０１６７】
実施例に係る光伝送装置１によれば、分岐比制御部６３は、監視対象となる第１ポート２０２ａ，２０２ｂ，４０１ａ，４０２ｂの出力光の光レベルが低下するように分岐比を制御する。このため、遠隔操作で光レベルに関する警報を出力できる。
【０１６８】
また、分岐比制御部６３は、１ポート２０２ａ，２０２ｂ，４０１ａ，４０２ｂの出力光の光レベルの低下量に応じて、第２ポート２００ａ，２００ｂ，４００ａ，４００ｂの出力光の光レベルが増加するように分岐比を制御する。したがって、第１ポート２０２ａ，２０２ｂ，４０１ａ，４０２ｂの出力光の光レベルが低下することにより生じた余剰分の光（光パワー）は、第２ポート２００ａ，２００ｂ，４００ａ，４００ｂから逃がされる。このため、運用中の回線の光信号が第３ポート２０１ａ，２０１ｂ，４０２ａ，４０１ｂから出力される場合でも、第３ポート２０１ａ，２０１ｂ，４０２ａ，４０１ｂの出力光の光レベルは、分岐比の変更の影響を受けず、一定に維持される。よって、実施例に係る光伝送装置１は、運用中に遠隔操作で警報を出力できる。
【０１６９】
また、実施例に係る光伝送システムは、伝送路を介して接続された第１光伝送装置１及び第２光伝送装置１を有する。第１光伝送装置１は、光分岐部４０ａ，４０ｂと、分岐比制御部６３とを有する。光分岐部４０ａ，４０ｂは、分岐させた入力光を出力する少なくとも第１ポート４０１ａ，４０２ｂ、第２ポート４００ａ，４００ｂ、及び第３ポート４０２ａ，４０１ｂを有する。分岐比制御部６３は、分岐比を制御することにより、監視対象となる第１ポート４０１ａ，４０２ｂの出力光の光レベルを低下させ、該低下量に応じて第２ポート４００ａ，４００ｂの出力光の光レベルを増加させる。
【０１７０】
第２光伝送装置１は、伝送路を介して伝送された第１光伝送装置１の第１ポート４０１ａ，４０２ｂの出力光の光レベルを監視し、光レベルに応じて警報を出力する警報出力部４４ａ，４４ｂ，４５ａ，４５ｂを有する。
【０１７１】
実施例に係る光伝送システムは、実施例に係る光伝送装置１と同様の構成を含むので、上記と同様の作用効果を奏する。
【０１７２】
また、実施例に係る警報機能の試験方法は、分岐させた入力光を出力する少なくとも第１ポート２０２ａ，２０２ｂ，４０１ａ，４０２ｂ、第２ポート２００ａ，２００ｂ，４００ａ，４００ｂ、及び第３ポート２０１ａ，２０１ｂ，４０２ａ，４０１ｂを有する光分岐部２０ａ，２０ｂ，４０ａ，４０ｂの第１ポート２０２ａ，２０２ｂ，４０１ａ，４０２ｂ及び第２ポート２００ａ，２００ｂ，４００ａ，４００ｂの分岐比を制御することにより、監視対象となる第１ポート２０２ａ，２０２ｂ，４０１ａ，４０２ｂの出力光の光レベルを低下させ、該低下量に応じて第２ポート２００ａ，２００ｂ，４００ａ，４００ｂの出力光の光レベルを増加させる方法である。
【０１７３】
実施例に係る警報機能の試験方法は、実施例に係る光伝送装置１と同様の構成を含むので、上記と同様の作用効果を奏する。
【０１７４】
以上、好ましい実施例を参照して本発明の内容を具体的に説明したが、本発明の基本的技術思想及び教示に基づいて、当業者であれば、種々の変形態様を採り得ることは自明である。
【０１７５】
なお、以上の説明に関して更に以下の付記を開示する。
（付記１）  分岐させた入力光を出力する少なくとも第１ポート、第２ポート、及び第３ポートを有し、前記第１ポート及び前記第２ポートの分岐比が可変である光分岐部と、
前記分岐比を制御することにより、監視対象となる前記第１ポートの出力光の光レベルを低下させ、該低下量に応じて前記第２ポートの出力光の光レベルを増加させる制御部とを有することを特徴とする光伝送装置。
（付記２）  前記制御部は、前記第３ポートの出力光の光レベルが維持されるように前記分岐比を制御することを特徴とする付記１に記載の光伝送装置。
（付記３）  前記第１ポートの出力光の光レベルを監視し、前記光レベルに応じて警報を出力する第１警報出力部を、さらに有することを特徴とする付記１または２に記載の光伝送装置。
（付記４）  前記光分岐部は、光スプリッタであることを特徴とする付記１乃至３の何れかに記載の光伝送装置。
（付記５）  伝送路を介して接続された第１光伝送装置及び第２光伝送装置を有し、
前記第１光伝送装置は、
分岐させた入力光を出力する少なくとも第１ポート、第２ポート、及び第３ポートを有し、前記第１ポート及び前記第２ポートの分岐比が可変である光分岐部と、
前記分岐比を制御することにより、監視対象となる前記第１ポートの出力光の光レベルを低下させ、該低下量に応じて前記第２ポートの出力光の光レベルを増加させる制御部とを有し、
前記第２光伝送装置は、
前記伝送路を介して伝送された前記第１光伝送装置の前記第１ポートの出力光の光レベルを監視し、前記光レベルに応じて警報を出力する第２警報出力部を有することを特徴とする光伝送システム。
（付記６）  前記制御部は、前記第３ポートの出力光の光レベルが維持されるように前記分岐比を制御することを特徴とする付記５に記載の光伝送システム。
（付記７）  前記第２光伝送装置は、受信対象として、前記第１光伝送装置の前記第１ポートの出力光及び他の光伝送装置の出力光の一方を選択するスイッチ部を、さらに有し、
前記スイッチ部は、前記第２警報出力部が警報を出力したとき、前記他の光伝送装置の出力光を選択することを特徴とする付記５または６に記載の光伝送システム。
（付記８）  分岐させた入力光を出力する少なくとも第１ポート、第２ポート、及び第３ポートを有する光分岐部の前記第１ポート及び前記第２ポートの分岐比を制御することにより、監視対象となる前記第１ポートの出力光の光レベルを低下させ、該低下量に応じて前記第２ポートの出力光の光レベルを増加させることを特徴とする警報機能の試験方法。
（付記９）  前記分岐比を、前記第３ポートの出力光の光レベルが維持されるように制御することを特徴とする付記８に記載の警報機能の試験方法。
（付記１０）  前記第１ポートの出力光の光レベルを監視し、前記光レベルに応じて警報を出力することを特徴とする付記８または９に記載の警報機能の試験方法。
【符号の説明】
【０１７６】
１                                                ＲＯＡＤＭ装置（光伝送装置）
９                                                ネットワーク管理装置
２０ａ，２０ｂ，４０ａ，４０ｂ                    光分岐部
２０ａ，２０ｂ                                    波長選択スイッチ
３３ａ，３３ｂ                                    警報出力部（第１警報出力部）
４４ａ，４４ｂ，４５ａ，４５ｂ                    警報出力部（第２警報出力部）
４１ａ，４１ｂ                                    スイッチ部
６１                                              警報検出部
６２                                              スイッチ制御部
６３                                              分岐比制御部（制御部）
【図１】
2014236385.tif 000003
【図２】
2014236385.tif 000004
【図３】
2014236385.tif 000005
【図４】
2014236385.tif 000006
【図５】
2014236385.tif 000007
【図６】
2014236385.tif 000008
【図７】
2014236385.tif 000009
【図８】
2014236385.tif 000010
【図９】
2014236385.tif 000011
【図１０】
2014236385.tif 000012
【図１１】
2014236385.tif 000013
【図１２Ａ】
2014236385.tif 000014
【図１２Ｂ】
2014236385.tif 000015
【図１３Ａ】
2014236385.tif 000016
【図１３Ｂ】
2014236385.tif 000017
【図１４】
2014236385.tif 000018
【図１５】
2014236385.tif 000019
【図１６】
2014236385.tif 000020
【図１７】
2014236385.tif 000021
【図１８】
2014236385.tif 000022
【図１９】
2014236385.tif 000023
【図２０】
2014236385.tif 000024